(57)【要約】【課題】冷却ユニットのフレームカバーを容易に着脱可能とし、且つ、強度の向上と回動状態の安定を図る。【解決手段】冷却ユニット１は、外装ケース７内に冷却器と、この冷却器と熱交換した冷気を吐出口から吐出するための送風機９とを備えて成るものであって、外装ケースは、被係合孔２２を有する本体１０と、この本体の下面を閉塞するフレームカバー１１とを備え、このフレームカバーは、本体の被係合孔に係脱、且つ、回動可能に係合する係合爪２３を有し、この係合爪が被係合孔に係合した状態で回動し、本体の下面を開閉可能に閉塞すると共に、係合爪は、被係合孔の内径よりも大きい外寸を有してカバーに設けられる基部２４と、この基部から連続して形成され、被係合孔の内径より小さい外寸となるまで徐々に先細りとなる首部２６と、この首部の先端に連続して折曲形成され、被係合孔に挿入される先端部２７とを備える。【選択図】　　　図６
2004020099.tif 000002
【特許請求の範囲】
【請求項１】
外装ケース内に冷却器と、該冷却器と熱交換した冷気を吐出口から吐出するための送風機とを備えて成る冷却ユニットにおいて、
前記外装ケースは、被係合孔を有する本体と、該本体の下面を閉塞するカバーとを備え、
該カバーは、前記本体の被係合孔に係脱、且つ、回動可能に係合する係合爪を有し、該係合爪が前記被係合孔に係合した状態で回動し、前記本体の下面を開閉可能に閉塞すると共に、
前記係合爪は、前記被係合孔の内径よりも大きい外寸を有して前記カバーに設けられる基部と、該基部から連続して形成され、前記被係合孔の内径より小さい外寸となるまで徐々に先細りとなる首部と、該首部の先端に連続して折曲形成され、前記被係合孔に挿入される先端部とを備えることを特徴とする冷却ユニット。
【請求項２】
前記先端部は前記首部に対して鋭角で折り返されていることを特徴とする請求項１の冷却ユニット。
【発明の詳細な説明】
【０００１】
【発明の属する技術分野】
本発明は、外装ケース内に冷却器と、この冷却器と熱交換した冷気を吐出口から吐出するための送風機とを備えて成る冷却ユニットに関するものである。
【０００２】
【従来の技術】
従来よりこの種冷却ユニットが適用される冷蔵庫は、例えばプレハブ低温庫（冷凍・冷蔵庫）や業務用冷却貯蔵庫であり、庫内天壁に冷却器を配置し、送風機によって天井部から庫内に強制的に冷気を対流させる構造とされている。
【０００３】
係る冷却ユニットは、前面にダンパ付きの吐出口を形成した外装ケース内に、別置きの室外機内に配設された圧縮機や凝縮器などによって構成される冷却装置と周知の冷凍サイクルを構成する冷却器と、ダンパ側である冷却器に冷気を吐出する冷却用送風機とを収納して構成されている。
【０００４】
図１０に係る従来の冷却ユニットの外装ケース１００の斜視図を示す。図１０の外装ケース１００は、例えば鋼板やアルミニウムなどの板材により構成された両側面と下面及び前面に開口を有する本体１０１と、同様の板材にて構成され、本体１０１の下面開口を開閉可能に閉塞するフレームカバー１０２と、本体１０１の両側面をそれぞれ閉塞して本体１０１の一部を構成する側板１０３とから構成される。
【０００５】
図中１０７は冷気吸込口である。そして、外装ケース１００の前面に形成される開口を冷気の吐出口１０４とし、図示しない送風機によって冷気吸込口１０７から吸い込まれて吐出され、冷却器と熱交換した冷気を吐出するものであった。
【０００６】
この場合、フレームカバー１０２は後端両側部を図１０に示すような蝶番１０６によって本体１０１の後壁１０１Ａに回動自在に枢支されている。そして、前部は図示しない化粧ビスなどによって着脱自在に本体１０１に保持される。これにより、フレームカバー１０２を本体１０１に対して回動可能に取り付け、下面開口を開閉可能として内部の送風機や冷却器等の機器のメンテナンスを行えるようにしていた。
【０００７】
【発明が解決しようとする課題】
しかしながら、係る従来の構造では冷却ユニット１００の直下に棚や収納物品が存在すると、フレームカバー１０２を回動できなくなる。その場合は、蝶番１０６を取り外してフレームカバー１０２自体を本体１０１から取り外すことになるが、その場合にも狭い空間で蝶番１０６のネジを外さなければならないため、作業性が極めて悪い。
【０００８】
そこで、図１１（この図では側板１０３を分解して示している）に示すように前述した蝶番１０６を廃止し、本体１０１の後壁１０１Ａの下部両側に横長矩形状の被係合孔１０８をそれぞれ形成すると共に、フレームカバー１０２の後端両側部にはこの被係合孔１０８に係脱且つ回動可能に係合する係合爪１０９を取り付ける構造とすれば、フレームカバー１０２により本体１０１の下面開口を開閉可能に閉塞しながら、フレームカバー１０２を本体１０１から容易に取り外せるようになる。
【０００９】
ところが、この係合爪１０９が図１２（図１１の係合爪１０９部分を本体１０１の内側から見た図）の如く、フレームカバー１０２に取り付けられる基部１０９Ａと、この基部１０９Ａの上端に連続して折曲形成され、被係合孔１０８より十分狭幅の短冊状の先端部１０９Ｂにより構成されたものである場合、この先端部１０９Ｂの付け根に過大な応力が作用してその部分から係合爪１０９が曲がってしまう危険性がある。
【００１０】
また、この種冷却ユニットでは本体１０１の内部に冷却器や送風機を組み付ける際、本体１０１の下面開口を上として作業が行われるが、係る形状の係合爪１０９では本体１０１の下面開口を上としてフレームカバー１０２を開いた際、先端部１０９Ｂの付け根まで係合爪１０９が被係合孔１０８内に入ってしまうため、開いた状態のフレームカバー１０２が安定せず、その開放角度も一定とならない。そして、この場合にこそ上述した応力によって係合爪１０９が曲がる危険性が極めて大きくなる問題があった。
【００１１】
そこで、本発明は従来の技術的課題を解決するために成されたものであり、冷却ユニットのフレームカバーを容易に着脱可能とし、且つ、強度の向上と回動状態の安定を図ることを目的とする。
【００１２】
【課題を解決するための手段】
本発明の冷却ユニットは、外装ケース内に冷却器と、この冷却器と熱交換した冷気を吐出口から吐出するための送風機とを備えて成るものであって、外装ケースは、被係合孔を有する本体と、この本体の下面を閉塞するカバーとを備え、このカバーは、本体の被係合孔に係脱、且つ、回動可能に係合する係合爪を有し、この係合爪が被係合孔に係合した状態で回動し、本体の下面を開閉可能に閉塞すると共に、係合爪は、被係合孔の内径よりも大きい外寸を有してカバーに設けられる基部と、この基部から連続して形成され、被係合孔の内径より小さい外寸となるまで徐々に先細りとなる首部と、この首部の先端に連続して折曲形成され、被係合孔に挿入される先端部とを備えることを特徴とする。
【００１３】
本発明によれば、外装ケース内に冷却器と、この冷却器と熱交換した冷気を吐出口から吐出するための送風機とを備えて成る冷却ユニットにおいて、外装ケースは、被係合孔を有する本体と、この本体の下面を閉塞するカバーとを備え、このカバーは、本体の被係合孔に係脱、且つ、回動可能に係合する係合爪を有し、この係合爪が被係合孔に係合した状態で回動し、本体の下面を開閉可能に閉塞するようにしたので、カバーにより冷却ユニットの外装ケースの本体の下面を開閉可能に閉塞し、且つ、被係合孔から係合爪を外すだけでカバー自体も容易に取り外すことができるようになる。これにより、冷却ユニット内の機器のメンテナンスなどが容易に行えるようになる。
【００１４】
特に、係合爪は、被係合孔の内径よりも大きい外寸を有してカバーに設けられる基部と、この基部から連続して形成され、被係合孔の内径より小さい外寸となるまで徐々に先細りとなる首部と、この首部の先端に連続して折曲形成され、被係合孔に挿入される先端部とを備えているので、回動時の応力は従来よりも幅が広くなる首部に作用することになり、板厚を厚くすること無く強度の向上が図られる。また、組立時などにカバーを全開とした場合にも、首部が被係合孔に引っかかることになるので、回動角度一定で開放状態も安定化するものである。
【００１５】
請求項２の発明の冷却ユニットは、上記において先端部は首部に対して鋭角で折り返されていることを特徴とする。
【００１６】
請求項２の発明によれば、上記に加えて先端部は首部に対して鋭角で折り返されているので、先端部の折曲強度が増すと共に、カバーの全開状態における開き過ぎを回避できるようになるものである。
【００１７】
【発明の実施の形態】
以下、図面に基づき本発明の実施例を詳述する。図１は本発明の冷却ユニット１を取り付けた実施例の冷却貯蔵庫Ｒの縦断側面図、図２は本発明を適用した冷却ユニット１の斜視図、図３は冷却ユニット１の縦断側面図、図４は冷却ユニット１の透視正面図をそれぞれ示している。
【００１８】
実施例の冷却ユニット１は、例えばプレハブ冷凍・冷蔵庫などの冷却貯蔵庫Ｒに設置される。この冷却貯蔵庫Ｒは、断熱箱体３によって構成されており、この断熱箱体３内には、貯蔵室２が構成されている。この断熱箱体３は隣り合うパネルとの結合部分に凸部或いは凹部を有した断熱パネル４を組み合わせて箱状に構成されている。
【００１９】
また、断熱箱体３の前壁には貯蔵食品等の物品を出し入れする物品出入口３Ｂが形成されており、この物品出入口３Ｂの一側には、断熱箱体３に回動自在に枢支され、当該物品出入口３Ｂを開閉自在に閉塞すると共に、貯蔵室２を密閉化する断熱扉５が設けられている。
【００２０】
前記冷却ユニット１は、例えば断熱箱体３の天壁３Ａの下面（貯蔵室２の天井面）に設置されており、前面の冷気吐出口６Ａにダンパ６を設けた外装ケース７内に、図示しない別置きの室外機内に配設された圧縮機や凝縮器などと共に冷却装置の周知の冷凍サイクルを構成する冷却器８と、冷気吐出口６Ａ（ダンパ６）側に位置する冷却器８に空気を吐出する冷却用送風機９とを有している。
【００２１】
尚、冷却器８は冷気吐出口６Ａの内側に配設されると共に、冷却器用送風機９は冷却器８の後側の冷却ユニット１内の後部に配設されている。また、図中において１４は前記冷却器用送風機９下方に設けられたファンケースである。
【００２２】
そして、この冷却器８の下方には、板状部材の外周縁を上側に略直角に折曲することにより構成され、上面に開口を有するドレンパン１６が、後方即ちダンパ６とは反対側の冷却器用送風機９側に低く傾斜して設けられている。このドレンパン１６の後壁には、図示しない排水孔が形成され、この排水孔には図３及び図４に示す如きドレンパイプ１７が取り付けられている。また、このドレンパン１６の下面には、冷却器８からドレンパン１６上に滴下したドレン水を加熱するためのホットガスパイプ１９が設けられている。
【００２３】
一方、図２及び図３に示す如く前記外装ケース７は例えばアルミニウムや鋼板などの板材により構成され、両側面と下面及び前面に開口を有する本体１０と、この本体１０の下面開口を開閉可能に閉塞するフレームカバー（カバー）１１と、本体１０の両側面をそれぞれ閉塞して本体１０の一部となる側板１２、１２とから構成される。この外装ケース７の本体１０の前面に形成された開口が、前記冷却器用送風機９から吐出された冷気を吐出するための冷気吐出口６Ａとなる。フレームカバー１１の後部には冷却器用送風機９の下側に対応して冷気吸込口１３が形成されている。
【００２４】
尚、図２における１２Ｂは、冷却ユニット１を貯蔵室２の天井面に固定するための図示しないネジ部材を保持する保持部である。また、前記側板１２は、左右対称に形成されており、両側の側板１２を共通の部材として構成されている。これにより、側板１２の部品点数を削減することができ、コストの削減を図ることができる。
【００２５】
前記圧縮機及び冷却器用送風機９が運転されると、冷却器８が冷却作用発揮すると共に、冷却器用送風機９は下方の冷気吸込口１３から貯蔵室２内の空気を吸引して冷却器８方向に吐出する。冷却器８に流入した空気はそこを通過する過程で熱交換し、冷却されて冷気吐出口６Ａに至る。このときの風圧によってダンパ６は押し開けられ（上側に回動される）、冷気は貯蔵室２内に吐出される。係る冷気の供給と循環によって貯蔵室２内は冷却されるものである。
【００２６】
次に、図５乃至図７を参照して前記フレームカバー１１の取り付け構造について説明する。図５はフレームカバー１１後部の斜視図（側板１２は分解されている）、図６はフレームカバー１１後部の断面図、図７は図６のフレームカバー１１後部を内側から水平視した図である。
【００２７】
本体１０の後壁１０Ａには、左右の下部に横長矩形状（図７参照）の被係合孔２２、２２が形成されている。そして、フレームカバー１１の後端の左右には、係合爪２３、２３が取り付けられている。
【００２８】
この係合爪２３は、被係合孔２２の上下方向の内径よりも薄い鋼板にて構成されており、当該被係合孔２２の横方向の内径よりも大きい外寸を有してフレームカバー１１にネジ２５で固定された基部２４と、この基部２４から連続して形成され、被係合孔２２の横方向の内径より小さい外寸となるまで左右が傾斜しながら徐々に先細りとなる左右対称の山型を呈した首部２６と、この首部２６の中央先端から同一の幅で連続して折曲形成され、首部２６に対して鋭角で折り返された先端部２７とから成る。
【００２９】
そして、フレームカバー１１は、係る後部の係合爪２３、２３の先端部２７を本体１０の被係合孔２２、２２内に後方から挿入して係脱且つ回動可能に係合させ、前部は図示しない化粧ビスなどによって着脱可能に本体１０に保持させることにより、本体１０の下面開口を覆って当該本体１０に取り付けられる。
【００３０】
係る構成により、前記化粧ビスにて前部を保持した状態ではフレームカバー１１は各図に示す如く本体１０の下面開口を閉塞する。そして、化粧ビスを外して前部を自由とすれば、フレームカバー１１は後部の係合爪２３、２３と被係合孔２２の係合箇所を中心として図３中時計回りに回動可能となり、前部が下がった状態で本体１０の下面開口を開放する。この状態で、冷却器８や冷却器用送風機９などのメンテナンス可能となる。
【００３１】
また、冷却ユニット１の下側に近くの貯蔵室２内に棚が架設され、収納物品が収納された場合等には、上述の如くフレームカバー１１の前部を下げて本体１０の下面開口を開放できなくなるが、その場合には、先ず化粧ビスを外し、前部を少許下げた状態で斜め後方（図６の先端部２７の向き）に押し込めば、係合爪２３、２３の先端部２７は被係合孔２２、２２から離脱する。これにより、フレームカバー１１は簡単に取り外せるので、前述の如く回動して開放できないときには、フレームカバー１１を取り外してメンテナンスを行えばよい。
【００３２】
ここで、上述のようにフレームカバー１１を回動させていくと、やがて先端部２７の先が本体１０の後壁１０Ａ内面に当接する。その後、更に回動させると首部２６が被係合孔２２内に進入していき、やがて首部２６の幅が被係合孔２２の左右の内寸より大きくなっている位置まで進入した段階で首部２６は被係合孔２２の内面に引っかかり、それ以上回動できなくなる。この状態でフレームカバー１１は本体１０より斜め後方に指向する全開状態となる。但し、図１のような設置状態では故意に全開としない限り、フレームカバー１１は略垂直の位置で吊下されることになる。
【００３３】
このような回動の過程で万一フレームカバー１１を全開以上に回動させる力が加わったとしても、そのときに被係合孔２２内縁に引っかかるのは先端部２７よりも幅の広い首部２６であるので、応力はこの幅の広い首部２６に加わることになる。即ち、係合爪２３は従来と同一の厚さであっても応力が加わる箇所の幅が拡張された分、強度は向上しており、係合爪２３が曲がってしまう不都合は回避される。
【００３４】
また、冷却ユニット１の生産時、外装ケース７内に冷却器８や冷却器用送風機９を組み付ける際には、図８の如く本体１０の下面開口が上側となるように外装ケース７は設置される。そして、フレームカバー１１を図８に破線で示す状態から矢印方向に回動して前述した全開状態とし、組み付け作業を行うものであるが、この場合にも、係合爪２３の幅の広い首部２６が被係合孔２２の内縁に引っかかるので、フレームカバー１１の回動（開放）状態は極めて安定しており、また、それ以上首部２６が被係合孔２２内に進入することもなく、また、先端部２７は鋭角に折り返されているので、開き過ぎることなく、規定の角度で静止され、安全に作業が行えるようになる。
【００３５】
そして、係る場合にも全開時に応力が加わるのは幅の広い首部２６であるので、係合爪２３が折れ曲がってしまう不都合も回避できるようになる。
【００３６】
【発明の効果】
以上詳述した如く本発明によれば、外装ケース内に冷却器と、この冷却器と熱交換した冷気を吐出口から吐出するための送風機とを備えて成る冷却ユニットにおいて、外装ケースは、被係合孔を有する本体と、この本体の下面を閉塞するカバーとを備え、このカバーは、本体の被係合孔に係脱、且つ、回動可能に係合する係合爪を有し、この係合爪が被係合孔に係合した状態で回動し、本体の下面を開閉可能に閉塞するようにしたので、カバーにより冷却ユニットの外装ケースの本体の下面を開閉可能に閉塞し、且つ、被係合孔から係合爪を外すだけでカバー自体も容易に取り外すことができるようになる。これにより、冷却ユニット内の機器のメンテナンスなどが容易に行えるようになる。
【００３７】
特に、係合爪は、被係合孔の内径よりも大きい外寸を有してカバーに設けられる基部と、この基部から連続して形成され、被係合孔の内径より小さい外寸となるまで徐々に先細りとなる首部と、この首部の先端に連続して折曲形成され、被係合孔に挿入される先端部とを備えているので、回動時の応力は従来よりも幅が広くなる首部に作用することになり、板厚を厚くすること無く強度の向上が図られる。また、組立時などにカバーを全開とした場合にも、首部が被係合孔に引っかかることになるので、回動角度一定で開放状態も安定化するものである。
【００３８】
請求項２の発明によれば、上記に加えて先端部は首部に対して鋭角で折り返されているので、先端部の折曲強度が増すと共に、カバーの全開状態における開き過ぎを回避できるようになるものである。
【図面の簡単な説明】
【図１】本発明を適用した冷却貯蔵庫の縦断側面図である。
【図２】本発明を適用した冷却ユニットの斜視図である。
【図３】冷却ユニットの縦断側面図である。
【図４】冷却ユニットの透視正面図である。
【図５】図２の冷却ユニットのフレームカバー後部の斜視図である。
【図６】図２の冷却ユニットのフレームカバー後部の断面図である。
【図７】図６のフレームカバー後部を内側から水平視した図である。
【図８】図２の冷却ユニットの外装ケースの本体の下面開口を上向きとしてフレームカバーを全開した状態を示す図である。
【図９】図８のフレームカバー後部を内側から水平視した図である。
【図１０】従来の冷却ユニットのフレームカバー後部の斜視図である。
【図１１】もう一つの従来の冷却ユニットのフレームカバー後部の斜視図である。
【図１２】図１１のフレームカバー後部を内側から水平視した図である。
【図１３】図１１の冷却ユニットを下面開口を上向きとしてフレームカバーを全開とした状態のフレームカバー後部を内側から水平視した図である。
【符号の説明】
Ｒ　冷却貯蔵庫
１　冷却ユニット
６　ダンパ
６Ａ　冷気吐出口
７　外装ケース
８　冷却器
９　冷却用送風機
１０　本体
１１　フレームカバー
１２　側板
１３　冷気吸込口
１５　風向板
１６　ドレンパン
２２　被係合孔
２３　係合爪
２４　基部
２６　首部
２７　先端部
【図１】
2004020099.tif 000003
【図２】
2004020099.tif 000004
【図３】
2004020099.tif 000005
【図４】
2004020099.tif 000006
【図５】
2004020099.tif 000007
【図６】
2004020099.tif 000008
【図７】
2004020099.tif 000009
【図８】
2004020099.tif 000010
【図９】
2004020099.tif 000011
【図１０】
2004020099.tif 000012
【図１１】
2004020099.tif 000013
【図１２】
2004020099.tif 000014
【図１３】
2004020099.tif 000015